(57)【要約】【課題】商品名表示領域を広くとることができ、商品名を指定したときにその個数を簡単に入力することができる商品情報入力端末装置を提供する。【解決手段】商品名が表示された複数の商品名ボタンと、各商品名ボタンに重複形成された商品個数増減ボタンと、各商品名ボタンに重複して設けられた商品個数表示領域とを画面上に形成する操作・表示手段１０１と、商品名ボタンへのタッチを検出することで、商品名ボタンにかかる商品名を取得する商品名取得手段１０２と、商品名ボタンへのタッチがあった後に当該商品名ボタンに重複する領域に形成した商品個数増減ボタンへのタッチがあったときは、そのタッチ回数に基づき当該商品個数を取得する商品個数取得手段１０３と、少なくとも商品名取得手段により取得した商品名と、商品個数取得手段により取得した商品個数とをホストコンピュータ５００に無線送信する無線通信手段１０４とを備える。【選択図】      図１
2004310198.tif 000002
【特許請求の範囲】
【請求項１】
商品名が表示された複数の商品名ボタン、前記各商品名ボタンに重複して形成された商品個数増減ボタン、および前記各商品名ボタンに重複または隣接して設けられた商品個数表示領域を画面上に形成する操作・表示手段と、
前記商品名ボタンへのタッチを検出することで、当該商品名ボタンにかかる商品名を取得する商品名取得手段と、
前記商品名ボタンへのタッチがあった後に、当該商品名ボタンに重複する領域に形成した前記商品個数増減ボタンへのタッチがあったときは、そのタッチの回数に基づき当該商品個数を取得する商品個数取得手段と、
少なくとも前記商品名取得手段により取得した商品名と、前記商品個数取得手段により取得した商品個数とをホストコンピュータに無線送信する無線通信手段と、
を備えたことを特徴とする商品情報入力端末装置。
【請求項２】
前記商品個数増減ボタンは、１回タッチするごとに前記商品個数を１つずつ増加させる商品個数増加ボタンと、１回タッチするごとに前記商品個数を１つずつ減少させる商品個数減少ボタンとを有することを特徴とする請求項１に記載の商品情報入力端末装置。
【請求項３】
前記商品個数増加ボタンは、所定の機能拡張ボタンとの併用により１回タッチするごとに前記商品個数を所定数増加させる機能を備え、または、さらに前記商品個数減少ボタンは、所定の機能拡張ボタンとの併用により１回タッチするごとに前記商品個数を所定数減少させることを特徴とする請求項２に記載の商品情報入力端末装置。
【請求項４】
前記商品個数増減ボタンは、１回タッチするごとに前記商品個数を１つずつ増加させ、所定の機能拡張ボタンとの併用により１回タッチするごとに前記商品個数を１つずつ減少させる１つのボタンとを有すること特徴とする請求項１に記載の商品情報入力端末装置。
【請求項５】
前記商品個数増減ボタンは透過であることを特徴とする請求項１から４の何れかに記載の商品情報入力端末装置。
【発明の詳細な説明】
【０００１】
【発明の属する技術分野】
本発明は、商品名表示領域を広くとることができ、商品名を指定したときにその個数を簡単に入力することができる商品情報入力端末装置に関する。
【０００２】
【従来の技術】
近年、食堂、飲食店等で商品の受注を携帯型の入力端末を用いて行い、注文商品やその個数をホストコンピュータに転送し、厨房においては、ホストコンピュータからの指示により飲料や食品を調理するシステムが知られている。
【０００３】
この種のシステムに用いられる入力端末は、一般に商品の種類が多数に及ぶため、入力ボタンの個数を多くし、またディスプレイの大きさを大きく確保する必要がある。このため、図１６に示すように、従来の典型的な入力端末９００は、見開きの一方側に、ディスプレイ９０１とテンキー９０２とが設けられ、見開きの他方側に入力ボタン群９０３が複数形成されることが多い。
【０００４】
【発明が解決しようとする課題】
ところが、図１６の入力端末９００では、テンキー９０２が見開きの片側面の半分近くを占めるために、商品名表示領域が狭くなり、複数の商品を一度に多く表示できず操作性が悪い。また、図１６の入力端末９００では、ディスプレイ９０１と、テンキー９０２と、入力ボタン群９０３とが離れた場所に設けられているため、さらに操作性を悪くしている。
【０００５】
本発明の目的は、商品名表示領域を広くとることができ、商品名を特定したときにその個数を簡単に入力することができる商品情報入力端末装置を提供することにある。
【０００６】
【課題を解決するための手段】
本発明の商品情報入力端末装置は、商品名が表示された複数の商品名ボタン、前記各商品名ボタンに重複して形成された商品個数増減ボタン、および前記各商品名ボタンに重複または隣接して設けられた商品個数表示領域を画面上に形成する操作・表示手段と、前記商品名ボタンへのタッチを検出することで、当該商品名ボタンにかかる商品名を取得する商品名取得手段と、前記商品名ボタンへのタッチがあった後に、当該商品名ボタンに重複する領域に形成した前記商品個数増減ボタンへのタッチがあったときは、そのタッチの回数に基づき当該商品個数を取得する商品個数取得手段と、少なくとも前記商品名取得手段により取得した商品名と、前記商品個数取得手段により取得した商品個数とをホストコンピュータに無線送信する無線通信手段とを備えたことを特徴とする。
【０００７】
本発明では、商品名表示の際あるいは商品個数入力の際に、液晶等のディスプレイにテンキーが表示されないので、商品名の表示に広い領域を確保することができる。また、商品名の表示領域に指先、ペン先等でタッチしたときに当該表示領域を指先等でさらにタッチすることで数値の入力ができるので、使い勝手が優れている。
【０００８】
本発明の商品情報入力端末装置では、前記商品個数増減ボタンは、１回タッチするごとに前記商品個数を１つずつ増加させる商品個数増加ボタンと、１回タッチするごとに前記商品個数を１つずつ減少させる商品個数減少ボタンとを有する。
また、本発明の商品情報入力端末装置では、前記商品個数増加ボタンは、所定の機能拡張ボタンとの併用により１回タッチするごとに前記商品個数を所定数増加させる機能を備え、または、さらに前記商品個数減少ボタンは、所定の機能拡張ボタンとの併用により１回タッチするごとに前記商品個数を所定数減少させることができる。
機能拡張ボタンとして、ハードウェアキーまたはソフトウェアキー（なお、本発明において、キーとボタンとは等価である）を用いることができる。４方向シーソキー（ハードウェアキー）の中央に配置されたキーを機能拡張ボタンとして使用することができるし、４方向シーソキー自体を機能拡張ボタンとして使用することができる。４方向シーソキー自体を機能拡張ボタンとして使用する場合には、当該シーソーキーを４種類の機能拡張ボタンとして使用することもできる。
たとえば、機能拡張ボタンを押しつつ商品個数増加ボタンまたは商品個数減少ボタンを押すことで、その機能を拡張させてもよいし、機能拡張ボタンを押した場合に機能拡張ボタンから指等が離れても機能拡張の効果はなくならずに、そのすぐ後に商品個数増加ボタンまたは商品個数減少ボタンが押されたときに、その機能拡張による効果が奏されるようにしてもよい。以上のように、商品個数増加ボタンまたは商品個数減少ボタンを上記の機能拡張ボタンと併用することより、１度押しただけで、所定数商品個数を増加または減少させることができる。
【０００９】
また、本発明では、前記商品個数増減ボタンは、１回タッチするごとに前記商品個数を１つずつ増加させ、所定の機能拡張ボタンとの併用により１回タッチするごとに前記商品個数を１つずつ減少させる１つのボタンから構成することができる。
この場合にも、たとえば機能拡張ボタンを押しつつ商品個数増減ボタンを押すことで商品個数を減少させてもよいし、機能拡張ボタンを押した場合に機能拡張ボタンから指等が離れても機能拡張の効果はなくらなずに、そのすぐ後に商品個数増減ボタンが押されたときに、その機能拡張による効果が奏されるようにしてもよい。
【００１０】
本発明では、前記商品個数増減ボタンは透過とすることができる。特に、本発明は、１度になされる１  つの商品についての注文数が、１，２，３であることが多い食堂、飲食店等における、商品の受注に好適である。
【００１１】
【発明の実施の形態】
図１（Ａ）は本発明の商品情報入力端末装置１００を示す機能ブロック図であり、図１（Ｂ）は商品情報入力端末装置１００の外観図であり、図１（Ｃ）は商品情報入力端末装置１００が、ホストコンピュータ５００に無線通信回線６００を介して接続された様子を示すシステム構成図である。
【００１２】
図１（Ａ）では、商品情報入力端末装置１００は、商品名が表示された後述する複数の商品名ボタン（５２，５５，６１，９２）、前記各商品名ボタンに重複して形成された後述する商品個数増減ボタン（５５１と５５２，  ６６１と６６２，９２１）、および前記各商品名ボタンに重複または隣接して設けられた後述する商品個数表示領域（５５３，６２，９２２）を画面上に形成する操作・表示手段１０１と、前記商品名ボタンへのタッチを検出することで、当該商品名ボタンにかかる商品名を取得する商品名取得手段１０２と、前記商品名ボタンへのタッチがあった後に、当該商品名ボタンに重複する領域に形成した前記商品個数増減ボタンへのタッチがあったときは、そのタッチの回数に基づき当該商品個数を取得する商品個数取得手段１０３と、その他付属情報取得手段１０４と、前記商品名取得手段により取得した商品名と、前記商品個数取得手段により取得した商品個数とをホストコンピュータ５００に無線送信する無線通信手段１０５とを含んで構成される。
【００１３】
図１（Ｂ）では、商品情報入力端末装置１００は、タッチパネルを有する液晶ディスプレイ２００と、機能拡張ボタン３０１、シーソーキー３０２を含むハードボタン群３００とからなる。たとえば、液晶ディスプレイ２００、商品情報入力端末装置１００内の図示しないＣＰＵ，ＲＯＭ内プログラム（操作・表示用ドライバ、商品名取得プログラム、商品個数取得プログラム等）が、図１（Ａ）における操作・表示手段１０１、商品名取得手段１０２、商品個数取得手段１０３、その他付属情報取得手段１０４として機能する。
【００１４】
図１（Ａ）において、操作・表示手段１０１は、図１（Ｂ）の液晶ディスプレイ２００上に商品名ｇｎを表示することができ、商品名表示領域Ｒｇｎ内や、商品名表示領域Ｒｇｎに隣接した商品個数表示領域Ｒｑｎに商品個数ｑｎを表示することができる。
【００１５】
商品名取得手段１０２は、商品名ｇｎが図１（Ｂ）のディスプレイ２００に表示された場合において、操作者による商品名表示領域Ｒｇｎへのタッチを検出することで、当該商品名ｇｎを取得することができる。
【００１６】
商品個数取得手段１０３は、操作者による商品名表示領域Ｒｇｎへのタッチが検出された場合において、たとえば操作者が商品名表示領域Ｒｇｎのうち左側部分に１回タッチしたときは商品個数表示領域Ｒｑｎに表示されている商品個数ｑｎを「１」増加し、ｎ回続けてタッチしたときは商品個数ｑｎを「ｎ」増加することができる。また、操作者が商品名表示領域Ｒｇｎのうち右側部分にタッチしたときは商品個数表示領域Ｒｑｎに表示されている商品個数ｑｎを「１」減少することができ、ｎ回続けてタッチしたときは商品個数ｑｎを「ｎ」増加することができる。一般に、飲食店においては、同一商品についての同時注文数が４個以上である場合は稀である。すなわち、同一商品についての同時注文数は、通常、１，２，３個であることが多いので、テンキーを備えなくても、上記した入力手法により、操作者は簡単に商品個数を入力することができる。
【００１７】
無線通信手段１０５は、図１（Ｃ）に示したホストコンピュータ５００に無線接続することができる。すなわち、商品情報入力端末装置１００は、無線通信手段１０５により、注文があった商品の商品名とその個数をホストコンピュータ５００に無線により送信することができる。
【００１８】
以下、図１（Ａ），（Ｂ），（Ｃ）に示した商品情報入力端末装置１００の動作を図２（Ｓ１００〜Ｓ１０７）、図３（Ｓ１０８〜Ｓ１１５）、図４（Ｓ１１６〜Ｓ１１９，Ｓ１２１〜Ｓ１２６）、図５（Ｓ１２０１〜Ｓ１２０８）、図６（Ｓ１２７〜Ｓ１３０，Ｓ１３２）、図７（Ｓ１３１１〜Ｓ１３１６）、図８（Ｓ１３３〜Ｓ１３８）、図９（Ｓ１６１〜Ｓ１６５）のフローチャート、および図１０〜図１５の画面表示により説明する。
【００１９】
商品情報入力端末装置１００の電源をオンすると、オーダ受付けプログラムが起動し、入力モード等の設定が読み込まれ（Ｓ１００）、液晶ディスプレイ２００には図１０（Ａ）に示す初期画面１が表示される（Ｓ１０１）。本実施形態では、入力モードとして、カテゴリーモードと、かなモードとがあるが、ここではカテゴリーモードがデフォルトで設定されているものとする。
【００２０】
この初期画面１には、オーダー入力ボタン１１と、設定画面移行ボタン１２とが表示されている。
初期画面１において、操作ボタンが押されるのを待ち（Ｓ１０２）、設定画面移行ボタン１２が押されたときは後述する図１３に示す設定画面８に移行し（Ｓ１０３の「ＮＯ」）、オーダー入力ボタン１１が押されたときは（Ｓ１０３の「ＹＥＳ」）、液晶ディスプレイ２００には図１０（Ｂ）に示すテーブル登録画面２が表示される（Ｓ１０４）。このテーブル登録画面２には、番号付きのテーブルレイアウトボタン２１と、「戻る」ボタン２２が表示されている。
【００２１】
ここで、操作ボタンが押されるのを待ち（Ｓ１０５）、「戻る」ボタン２２が押されたときは（Ｓ１０６の「ＮＯ」）、Ｓ１０４に処理を戻し、テーブル登録画面２を表示する。
【００２２】
テーブルレイアウトボタン２１が押されたときは（Ｓ１０６の「ＹＥＳ」）、テーブル番号を登録した後（所定のレジスタに格納した後）（Ｓ１０７）、図１０（Ｃ）に示す客層登録画面３を表示し（Ｓ１０８）、客層を登録する（所定のレジスタに格納する）（Ｓ１０９）。図１０（Ｃ）の客層登録画面３には、客層ボタン３１、「戻る」ボタン３２、「次へ」ボタン３３が表示されている。
【００２３】
図１０（Ｃ）の客層登録画面３において、操作ボタンが押されるのを待ち（Ｓ１１０）、「戻る」ボタン３２が押されたとき（Ｓ１１１の「ＮＯ」）は、Ｓ１０４に処理を戻してテーブル登録画面２を表示し、「次へ」ボタン３３が押されたときは（Ｓ１１１の「ＹＥＳ」）、図１０（Ｄ）に示す男女別客数登録画面４が表示され（Ｓ１１２）、客数の登録が行われる（Ｓ１１３）。この男女別客数登録画面４には、数字ボタン４１と、「戻る」ボタン４２と、「次へ」ボタン４３が表示されている。ここでは、男性と女性ごとに０１〜２９人までの客数を登録ことができる。男女別客数登録画面４において、男性欄，女性欄の左側「  ０，
１，  ２」  が十の桁であり、右側「  ０〜９」  が一の桁である。
【００２４】
図１０（Ｄ）の男女別客数登録画面４において、操作ボタンが押されるのを待ち（Ｓ１１４）、「戻る」ボタン４２が押されたときは（Ｓ１１５の「ＮＯ」）、処理をＳ１０８に戻して客層登録画面３を表示する。また、「次へ」ボタン４３が押されたときは（Ｓ１１５の「ＹＥＳ」）、商品カテゴリーを設定し（Ｓ１１６：「ｎ」はカテゴリー番号，「１」はデフォルトのカテゴリー番号）、図１１（Ａ）に示す商品登録画面５が表示される（Ｓ１１７）。
【００２５】
商品登録画面５には、カテゴリー名ボタン５１と、中分類商品名ボタン５２と、次頁ボタン５３１と、「戻る」ボタン５４とが表示されている。図１１（Ａ）の商品登録画面５において、カテゴリー名ボタン５１の何れかを押すと、対応する商品にかかる中分類商品名ボタン５２が表示される。なお、本明細書において、ボタンに「タッチ」することと、ボタンを「押す」こととは等価である。
【００２６】
図１１（Ａ）の商品登録画面５において、操作ボタンが押されるのを待ち（Ｓ１１８）、中分類商品名ボタン５２が押されたときは（Ｓ１１９の「ＹＥＳ」）、商品登録画面５は図１１（Ｃ）に示す画面に変更される（Ｓ１２０１）。図１１（Ｃ）では、商品登録画面５には、商品名ボタン５５と、「カテゴリーメニューへ」ボタン５６と、注文終了ボタン５７とが表示されている。
【００２７】
図１１（Ｃ）の商品登録画面５において、操作ボタンが押されるのを待ち（Ｓ１２０２）、「カテゴリーメニューへ」ボタン５６または注文終了ボタン５７が押されたときは（Ｓ１２０３の「ＮＯ」）、処理を後述するＳ１２７に移す。
商品名ボタン５５が押されたときは（Ｓ１２０３の「ＹＥＳ」）、図１１（Ｄ）に示す商品個数増加ボタン５５１，商品個数減少ボタン５５２を有効にする（Ｓ１２０４）。図１１（Ｄ）に示すように、商品名ボタン５５の表示領域には、重複して商品個数増加ボタン５５１と、商品個数減少ボタン５５２と、商品個数表示領域５５３とが形成されている。商品個数増加ボタン５５１，商品個数減少ボタン５５２は透過ボタン（透明ボタン）であり、商品個数表示領域５５３には商品個数が表示される。
【００２８】
Ｓ  １２０４において商品個数減少ボタン５５２を有効にした後、操作ボタンが押されるのを待ち（Ｓ１２０５）、「カテゴリーメニューへ」ボタン５６または注文終了ボタン５７が押されたときは（Ｓ１２０６の「ＮＯ」）、処理を後述するＳ１２７に移すが、商品個数増加ボタン５５１，商品個数減少ボタン５５２が押されたときは（Ｓ１２０６の「ＹＥＳ」）、押されたボタンが商品個数増加ボタン５５１であるときは（Ｓ１２０７の「ＹＥＳ」）、商品個数を１増加し（Ｓ１２０８）、商品個数減少ボタン５５２が押されたときは（Ｓ１２０７の「ＮＯ」）、商品個数を１減少する（Ｓ１２０９）。この後、Ｓ１２０５に処理が戻され、操作ボタンが押されるのを待つ。
【００２９】
図１１（Ｃ）の商品登録画面５において、「カテゴリーメニューへ」ボタン５６または注文終了ボタン５７が押されたときは（Ｓ１２０３の「ＮＯ」、Ｓ１２０６の「ＮＯ」）、前述したように処理をＳ１２７に移す。
Ｓ１２７では、押されたボタンが「カテゴリーメニューへ」ボタン５６であるときは、処理をＳ１１７に戻し、液晶ディスプレイ２００の表示を図１１（Ａ）の商品登録画面５に戻す。
【００３０】
図１１（Ａ）の商品登録画面５において、次頁ボタン５３１が押されると（Ｓ  １１９の「  ＮＯ」  かつＳ１２１の「ＹＥＳ」）、商品登録画面５は、図１１（Ｂ）に示す画面に変更される（Ｓ１２２）。図１１（Ｂ）の商品登録画面５には、中分類商品名ボタン５２と、前頁ボタン５３２とが表示されている。
また、図１１（Ａ）の商品登録画面５において、「  戻る」  ボタンＳ１２３が押されると、処理はＳ１１２に戻され、液晶ディスプレイ２００の表示を図１０（Ｄ）の男女別客数登録画面４が表示される。また、カテゴリー名ボタン５１が押されたとき（Ｓ１２３の「  ＮＯ」  ）は、当該カテゴリー名ボタンをｎ＝ｘとして受け付け（Ｓ１２４）、このボタンを強調表示するとともに中分類商品名をソートして、これを商品登録画面５に表示する。
【００３１】
図１１（Ｂ）の商品登録画面５において、操作ボタンが押されるのを待ち（Ｓ１２５）、中分類商品名ボタン５２が押されると（Ｓ１２６の「ＹＥＳ」）、処理はＳ１２０１に移されて商品登録画面５は図１１（Ｃ）に示す画面に変更され、前頁ボタン５３２が押されると（Ｓ１２６の「ＮＯ」）、処理はＳ１１７に戻されて商品登録画面５は、図１１（Ａ）に示す画面に変更される。
【００３２】
図１１（Ｃ）の商品登録画面５において、注文終了ボタン５７が押されたときは（Ｓ１２７の「ＹＥＳ」）、液晶ディスプレイ２００の表示は、図１２（Ａ）に示す確認表示画面６に変更される（Ｓ１２８）。確認表示画面６には、商品名ボタン６１と、商品個数表示領域６２と、「戻る」ボタン６３と、確認終了ボタン６４とが表示されている。商品名ボタン６１と、商品個数表示領域６２とが形成された領域には、図１２（Ｂ）に示すように、商品個数増加ボタン６６１，商品個数減少ボタン６６２が形成されている。商品個数増加ボタン６６１，商品個数減少ボタン６６２は透過ボタンである。
【００３３】
図１２（Ａ）に示す確認表示画面６において、操作ボタンが押されるのを待ち（Ｓ１２９）、商品名ボタン６１が押されたときは（Ｓ１３０の「ＹＥＳ」）、図１２（Ｂ）に示す商品個数増加ボタン６６１および商品個数減少ボタン６６２を有効にする（Ｓ１３１１）。
【００３４】
ここで、操作ボタンが押されるのを待ち（Ｓ１３１２）、商品個数増加ボタン６６１，商品個数減少ボタン６６２でないボタン（商品名ボタン６１，商品個数表示領域６２，「戻る」ボタン６３，確認終了ボタン６４の何れか）が押されたときは、処理をＳ１３０に戻す。商品個数増加ボタン６６１，商品個数減少ボタン６６２が押された（Ｓ１３１３の「ＹＥＳ」）場合において、押されたボタンが商品個数増加ボタン６６１であるとき（Ｓ１３１４の「ＹＥＳ」）は商品個数を１増加し（Ｓ１３１５）、商品個数減少ボタン６６２が押されたとき（Ｓ１３１４の「ＮＯ」）は商品個数を１減少する（Ｓ１３１６）。この後、処理はＳ１３１２に戻され、操作ボタンが押されるのを待つ。
【００３５】
図１２（Ａ）に示す確認表示画面６において、「戻る」ボタン６３が押されると（Ｓ１３４の「ＮＯ」）、処理はＳ１１７に戻され、図１１（Ａ）に示した商品登録画面５が表示され、確認終了ボタン６４が押されると、図１２（Ｃ）の送信画面７が表示される。図１２（Ｃ）には、訂正ボタン７１と、「戻る」ボタン７２と、送信ボタン７３とが示されている。訂正ボタン７１は、テーブル番号訂正ボタン７１１と、客層訂正ボタン７１２と、客数訂正ボタン７１３とからなる。
【００３６】
図１２（Ｃ）に示す送信画面７において、操作ボタンが押されるのを待ち（Ｓ１３４）、送信ボタン７３が押されると（Ｓ１３５の「  ＹＥＳ」  ）、登録した情報が図１（Ｃ）のホストコンピュータ（ホスト装置）５００に送信され（Ｓ１３８）、処理はＳ１０１に戻され、液晶ディスプレイ２００の表示は図１０（Ａ）の初期画面１となる。
【００３７】
図１２（Ｃ）に示す送信画面７において、訂正ボタン７１の項目（７１１〜７１３）のうち何れかを指定して「戻る」ボタン７２を押すと、液晶ディスプレイ２００の表示は指定した項目に対応する画面に切り替わる。
【００３８】
すなわち、テーブル番号訂正ボタン７１１が押され、「戻る」ボタン７２が押されたときは（Ｓ１３６の「ＹＥＳ」）、Ｓ１０４に処理が戻され、液晶ディスプレイ２００の表示はテーブル登録画面２となる。
客層訂正ボタン７１２が押され、「戻る」ボタン７２が押されたときは（Ｓ１３７の「ＹＥＳ」）、Ｓ１０８に処理が戻され、液晶ディスプレイ２００の表示は客層登録画面３となる。
【００３９】
客数訂正ボタン７１３が押され、「戻る」ボタン７２が押されたときは（Ｓ１３７の「ＮＯ」）、Ｓ１１２に処理が戻され、液晶ディスプレイ２００の表示は男女別客数登録画面４となる。
【００４０】
図１０（Ａ）の初期画面１において設定画面移行ボタン１２が押されたときは（Ｓ１０３の「ＮＯ」）、図１３に示す設定画面８が表示される（Ｓ１６１）。設定画面８には、装置のシリアル番号を設定・変更するためのシリアル番号表示領域８１、端末装置作業場所ディレクトリ８２、カテゴリーモードボタン８３１、かなモードボタン８３２、設定完了ボタン８４、システム終了ボタン８５が表示されている。
【００４１】
ここでは、操作者はカテゴリーモードボタン８３１、かなモードボタン８３２の何れかを押すことで、モードの選択をすることができる（Ｓ１６２）。
図１３の設定画面８において、操作ボタンが押されるのを待ち（Ｓ１６３）、設定完了ボタン８４が押されると、設定項目が読み込まれて、装置はリスタートしてＳ１００から処理が開始され、システム終了ボタン８５が押されると液晶ディスプレイ２００にはＯＳの初期画面が表示される。
【００４２】
図１４（Ａ），（Ｂ），（Ｃ）により、かなモード選択時の、商品登録について説明する。図１４（Ａ）において、商品登録画面９には、かなボタン９１と、商品名ボタン９２と、次頁ボタン９３１と、「戻る」ボタン９４と、注文終了ボタン９５と、注文終了ボタン９５とからなる。
【００４３】
かなボタン９１は、５０音の横行の最初の文字（「あ」，「か」，「さ」，「た」，「な」，・・・）、その他ボタンからなる。かなボタン９１を押すと、当該かなの縦行のかな（「  あ」  のボタンが押されたときは、「  い」  ，「  う」  ，「  え」  ，「  お」  ）を最初の文字として含む商品が、商品登録画面９に商品名ボタン９２として表示される。商品登録画面９に表示するべき商品名ボタン９２が多数にわたるときは、図１４（Ｂ）に示すように、最初の頁に表示できない商品名を次頁に表示することができる。
【００４４】
図１４（Ａ）の商品名ボタン９２は、図１１（Ｃ）に示した商品登録画面５における商品名ボタン５５よりも小さいので、図１１（Ｃ）における場合よりも、一画面中に多数の商品名を表示することができる。図１１（Ｃ）に示した商品登録画面５では、商品名ボタン５５の表示領域には、商品個数増加ボタンと商品個数減少ボタンとを別々に形成した。これに対して、図１４（Ａ）の商品名ボタン９２は、図１４（Ｃ）に示すように商品名ボタン９２の表示領域に一つの商品個数増減ボタン９２１が形成されるとともに、当該表示領域には商品個数表示領域９２２が形成されている。この商品個数増減ボタン９２１には、商品個数増加ボタンと商品個数減少ボタンとの機能を有しており、商品名ボタン９２を押したときに、商品個数増減ボタン９２１が有効となり、この状態で商品個数増減ボタン９２１を押したときには商品個数表示領域９２２に表示された商品個数が増加し、機能拡張ボタン３０１と同時に商品個数増減ボタン９２１を押したときには商品個数表示領域９２２に表示された商品個数が減少する。
【００４５】
商品情報入力端末装置の使用に不慣れな操作者であっても、図１４（Ａ），（Ｂ），（Ｃ）に示した、かなモードを使用することで、正確にかつ素早く、受注した商品名を探し出し、商品個数を入力することができる。
【００４６】
なお、本発明では、カテゴリーモードにおける商品個数の増減に際して、上記した機能拡張ボタン３０１を用いて商品個数を一度に所定数増減させることもできる。図１５（Ａ）は、機能拡張ボタン３０１を商品個数増加ボタンと併用することで、一度に所定数を増加させる場合を示している。この場合には、機能拡張ボタンを押して、商品個数増加ボタン５５１を押すことで一度に商品個数を所定数（たとえば１０）増加させることができる。
また、本発明では、この商品個数を所定数増加させる機能に併せて、図示はしないが、上記の機能拡張ボタン３０１を押し、商品個数減少ボタン５５２を押すことで一度に商品個数を所定数（たとえば１０）減少させるようにもできる。
また、図１５（Ｂ）は、シーソーキー３０２を機能拡張ボタンとして用いる場合の例を示しており、この場合シーソーキー３０２の４方向のそれぞれに、一度に増減できる数値が割り振られている。この割り振られた数値は、たとえば図１５（Ｂ）に示したように、液晶ディスプレイ２００の表示画面に縮小表示したシーソーキーの図形３０２ａに併記することができる。上記のかなモード及びカテゴリーモードにおいて、機能拡張ボタン３０１や、シーソーキー３０２が押されたときは、次に何れかのボタンが押されるまでその機能を保持するように構成でき、また、商品名ボタンが押されたときにたとえば当該ボタンを青色で表示し、機能ボタン３０１が押されるたときは当該ボタンを他の色で表示するようにできる。
【００４７】
本発明では、商品個数等を指定するに際して、図１５（Ｃ），（Ｄ）に示したような数値入力インタフェースを使用することができる。図１５（Ｃ）のボタンセットＢＳ１は、１回押すことで１増加するボタン（＋１）と２増加するボタン（＋２）、および１回押すことで１減少するボタン（−１）からなる。また、図１５（Ｄ）のボタンセットＢＳ２は、１回押すことで１増加するボタン（＋１）と２増加するボタン（＋２）、および１回押すことで１減少するボタン（−１）と２減少するボタン（−２）からなる。食堂、飲食店等での商品の受注では、受注の際に入力される数値は、１，２，３の場合が多いので、テンキーを使用することなく、図１５（Ｃ），（Ｄ）に示したボタンのみで足りる場合も多い。したがって、上記ボタンセットを用いることで、ディスプレイが多数の計算機ボタンで占有されるといった不都合は生じない。
【００４８】
【発明の効果】
本発明によれば、商品名表示の際あるいは商品個数入力の際に、液晶等のディスプレイにテンキーが表示されないので、商品名の表示に広い領域を確保することができる。また、商品名の表示領域に指先等でタッチしたときに当該表示領域を指先等でさらにタッチすることで数値の入力ができるので、使い勝手に優れる。
また、本発明では、１度になされる１  つの商品についての注文数が、１，２，３であることが多い食堂、飲食店等における、商品の受注に好適である。
【図面の簡単な説明】
【図１】（Ａ）は本発明の商品情報入力端末装置を示す機能ブロック図であり、（Ｂ）は商品情報入力端末装置の外観図であり、（Ｃ）は商品情報入力端末装置がホストコンピュータに無線通信回線を介して接続された様子を示すシステム構成図である。
【図２】本発明の動作の一部（Ｓ１００〜Ｓ１０７）を示すフローチャートである。
【図３】本発明の動作の一部（Ｓ１０８〜Ｓ１１５）を示すフローチャートである。
【図４】本発明の動作の一部（Ｓ１１６〜Ｓ１１９，Ｓ１２１〜Ｓ１２６）を示すフローチャートである。
【図５】本発明の動作の一部（Ｓ１２０１〜Ｓ１２０８）を示すフローチャートである。
【図６】本発明の動作の一部（Ｓ１２７〜Ｓ１３０，Ｓ１３２）を示すフローチャートである。
【図７】本発明の動作の一部（Ｓ１３１１〜Ｓ１３１６）を示すフローチャートである。
【図８】本発明の動作の一部（Ｓ１３３〜Ｓ１３８）を示すフローチャートである。
【図９】本発明の動作の一部（Ｓ１６１〜Ｓ１６５）を示すフローチャートである。
【図１０】（Ａ）は図１の商品情報入力端末装置における初期画面の表示例、（Ｂ）は同じくテーブル登録画面の表示例、（Ｃ）は同じく客層登録画面の表示例、（Ｄ）は同じく男女別客数登録画面の表示例である。
【図１１】（Ａ）は図１の商品情報入力端末装置におけるカテゴリーモードでの商品名登録画面の表示例、（Ｂ）は同じく商品名登録画面の中分類商品名が複数頁にわたる場合の表示例、（Ｃ）は同じく商品名登録画面の商品名および商品個数を登録する際の表示例、（Ｄ）は同じく商品名登録画面の商品名表示領域に重複表示される商品個数増加ボタン，商品個数減少ボタンの表示例である。
【図１２】（Ａ）は図１の商品情報入力端末装置における確認表示画面の表示例、（Ｂ）は同じく確認表示画面の商品名表示領域に重複表示される商品個数増加ボタン，商品個数減少ボタンの表示例、（Ｃ）は同じく送信画面の表示例である。
【図１３】図１の商品情報入力端末装置における設定画面の表示例である。
【図１４】（Ａ）は図１の商品情報入力端末装置におけるかなモードでの商品名登録画面の表示例、（Ｂ）は同じく商品名登録画面の商品名が複数頁にわたる場合の表示例、（Ｃ）は同じく商品名登録画面の商品名表示領域に重複表示される商品個数増減ボタンの表示例である。
【図１５】（Ａ），（Ｂ），（Ｃ），  （Ｄ  ）は、図１の商品情報入力端末装置に使用される数値入力の例を示す図である。
【図１６】従来の商品情報入力端末装置を示す図である。
【符号の説明】
１  初期画面
２  テーブル登録画面
３  客層登録ボタン
４  男女別客数登録ボタン
５  商品登録画面
６  確認表示画面
７  送信画面
８  設定画面
９  商品登録画面
１１  オーダ入力ボタン
１２  設定画面移行ボタン
２１  テーブルレイアウトボタン
２２，３２，４２，５４，５６，６３，７２，９４  「戻る」ボタン
３１  客層ボタン
３３，４３  「次へ」ボタン
４１  数字ボタン
５１  カテゴリー名ボタン
５２  中分類商品名ボタン
５５，６１，９２  商品名ボタン
５７、９５  注文終了ボタン
６２  商品個数表示領域
６４  確認終了ボタン
７１  訂正ボタン
７３  送信ボタン
８１  シリアル番号表示領域
８２  端末装置作業場所ディレクトリ
８４  設定完了ボタン８４
８５  システム終了ボタン
９１  かなボタン
１００  商品情報入力端末装置
１０１  操作・表示手段
１０２  商品名取得手段
１０３  商品個数取得手段
１０４  無線通信手段
２００  液晶ディスプレイ
３００  ハードボタン群
３０１  機能拡張ボタン
３０２  シーソーキー
５３１，９３１  次頁ボタン
５３２，９３２  前頁ボタン
５５１，６６１  商品個数増加ボタン
５５２，６６２  商品個数減少ボタン
５５３，９２２  商品個数表示領域
５００  ホストコンピュータ
６００  無線通信回線
７１１  テーブル番号訂正ボタン
７１２  客層訂正ボタン
７１３  客数訂正ボタン
８３１  カテゴリーモードボタン
８３２  かなモードボタン
９２１  商品個数増減ボタン
ＢＳ１，ＢＳ２  ボタンセット
【図１】
2004310198.tif 000003
【図２】
2004310198.tif 000004
【図３】
2004310198.tif 000005
【図４】
2004310198.tif 000006
【図５】
2004310198.tif 000007
【図６】
2004310198.tif 000008
【図７】
2004310198.tif 000009
【図８】
2004310198.tif 000010
【図９】
2004310198.tif 000011
【図１０】
2004310198.tif 000012
【図１１】
2004310198.tif 000013
【図１２】
2004310198.tif 000014
【図１３】
2004310198.tif 000015
【図１４】
2004310198.tif 000016
【図１５】
2004310198.tif 000017
【図１６】
2004310198.tif 000018